(57)【要約】【課題】簡便に外部の記憶媒体にコンテンツを記録可能なコンテンツ記録装置、コンテンツ記録装置の制御方法、及びプログラムを提供する。【解決手段】オーディオ装置１００は、ＳＤカード３００を接続するＳＤカードインタフェース１０と、ＳＤカードインタフェース１０がＳＤカード３００と接続したことを検知する制御部９０とを備え、制御部９０は、ＳＤカード３００とＳＤカードインタフェース１０との接続を検知し、任意のコンテンツを指定するコンテンツ指定情報がＳＤカード３００に格納されている場合に、コンテンツ指定情報が指定するコンテンツをＳＤカード３００に記憶させる。【選択図】図２
2009198622.tif 000002
【特許請求の範囲】
【請求項１】
外部の記憶媒体が着脱可能に接続される接続手段と、
前記接続手段が前記記憶媒体と接続されたことを検知する検知手段と、
前記検知手段が前記接続手段と前記記憶媒体との接続を検知した場合に、前記記憶媒体が格納するデータを読み込み、任意のコンテンツを指定するコンテンツ指定情報が前記記憶媒体に格納されているか否かを判別する判別手段と、
前記判別手段が前記記憶媒体に前記コンテンツ指定情報が格納されていると判別した場合に、前記コンテンツ指定情報が指定するコンテンツを前記記憶媒体に記憶させる記憶制御手段と、を備える、
ことを特徴とするコンテンツ記録装置。
【請求項２】
前記記憶制御手段は、
前記コンテンツ指定情報が記憶時刻の情報を含む場合に、当該記憶時刻に指定されるコンテンツを前記記憶媒体に記憶させる、
ことを特徴とする請求項１に記載のコンテンツ記録装置。
【請求項３】
放送局を選択する選択手段と、
前記選択手段が選択した放送局が発信する放送信号を受信する受信手段と、をさらに備え、
前記記憶制御手段は、
前記コンテンツ指定情報が放送局の情報を含む場合に、当該放送局が発信する放送信号を前記受信手段に受信させ、当該放送信号を前記コンテンツとして前記記憶媒体に記憶させる、
ことを特徴とする請求項１又は２に記載のコンテンツ記録装置。
【請求項４】
前記記憶制御手段は、
前記コンテンツ指定情報がコンテンツの条件の情報を含む場合に、当該コンテンツの条件を満たすコンテンツを前記記憶媒体に記憶させる、
ことを特徴とする請求項１乃至３の何れか１項に記載のコンテンツ記録装置。
【請求項５】
コンテンツを記憶する記憶手段をさらに備え、
前記記憶制御手段は、
前記記憶手段が記憶するコンテンツから、前記コンテンツ指定情報が指定するコンテンツを選択して前記記憶媒体に記憶させる、
ことを特徴とする請求項１又は４に記載のコンテンツ記録装置。
【請求項６】
放送局を選択する選択手段と、
前記選択手段が選択した放送局が発信する放送信号をコンテンツとして受信する受信手段と、
コンテンツを記憶する記憶手段と、をさらに備え、
前記記憶制御手段は、
前記記憶手段が記憶するコンテンツ及び前記受信手段が受信するコンテンツから、前記コンテンツ指定情報が指定するコンテンツを選択して前記記憶媒体に記憶させる、
ことを特徴とする請求項１に記載のコンテンツ記録装置。
【請求項７】
前記記憶媒体が格納する前記コンテンツ指定情報は、外部の情報処理装置によって作成される、
ことを特徴とする請求項１乃至６の何れか１項に記載のコンテンツ記録装置。
【請求項８】
前記記憶媒体が格納する前記コンテンツ指定情報は、外部の携帯型コンテンツ記録装置によって作成される、
ことを特徴とする請求項１乃至６の何れか１項に記載のコンテンツ記録装置。
【請求項９】
前記記憶媒体は、携帯型コンテンツ記録装置である、
ことを特徴とする請求項１乃至６の何れか１項に記載のコンテンツ記録装置。
【請求項１０】
外部の記憶媒体に着脱可能に接続される接続手段を備えるコンテンツ記録装置の制御方法であって、
前記接続手段が前記記憶媒体と接続されたことを検知する検知ステップと、
前記検知ステップで前記接続手段と前記記憶媒体との接続を検知した場合に、任意のコンテンツを指定するコンテンツ指定情報が前記記憶媒体に格納されているか否かを判別する判別ステップと、
前記判別ステップでコンテンツ指定情報が前記記憶媒体に格納されていると判別した場合に、前記コンテンツ指定情報が指定するコンテンツを前記記憶媒体に記憶させる記憶制御ステップと、を備える、
ことを特徴とするコンテンツ記録装置の制御方法。
【請求項１１】
外部の記憶媒体に着脱可能に接続される接続手段を備えるコンテンツ記録装置に含まれるコンピュータを、
前記接続手段が前記記憶媒体と接続されたことを検知する検知手段、
前記検知手段が前記接続手段と前記記憶媒体との接続を検知した場合に、任意のコンテンツを指定するコンテンツ指定情報が前記記憶媒体に格納されているか否かを判別する判別手段、
前記判別手段が、前記コンテンツ指定情報が前記記憶媒体に格納されていると判別した場合に、前記コンテンツ指定情報が指定するコンテンツを前記記憶媒体に記憶させる記憶制御手段、
として機能させることを特徴とするプログラム。
【発明の詳細な説明】
【技術分野】
【０００１】
本発明は、設定情報を記憶する外部の記憶媒体と接続し、その設定情報によって動作するコンテンツ記録装置、コンテンツ記録装置の制御方法、及びプログラムに関する。
【背景技術】
【０００２】
現在、設定情報を記憶する外部の記憶媒体と接続し、その設定情報によって動作するオーディオ装置が市販されている。
【０００３】
例えば、特許文献１に記載されている情報機器は、増設メモリカードを装着すると、その増設メモリに格納されるプログラムによって動作を開始する。
また、特許文献２に記載されているカーオーディオシステムは、メモリカードを装着し、装着したメモリカードに格納されているオーディオ設定情報を用いて動作することができる。
【特許文献１】特開平９−１６０７７０号公報
【特許文献２】特開平１１−３１７０６３号公報
【発明の開示】
【発明が解決しようとする課題】
【０００４】
しかし、上記の技術では、外部記憶媒体に記憶されたプログラム又は設定情報に基づいて再生されたコンテンツを他の記憶媒体に記憶させていたので、非常に不便であった。
本発明は、上記問題点に鑑みてなされたもので、簡便に外部の記憶媒体にコンテンツを記憶可能なコンテンツ記録装置、コンテンツ記録装置の制御方法、及びプログラムを提供することを目的とする。
【課題を解決するための手段】
【０００５】
上記目的を達成するために、本発明の第１の観点に係るコンテンツ記録装置は、
外部の記憶媒体が着脱可能に接続される接続手段と、
前記接続手段が前記記憶媒体と接続されたことを検知する検知手段と、
前記検知手段が前記接続手段と前記記憶媒体との接続を検知した場合に、前記記憶媒体が格納するデータを読み込み、任意のコンテンツを指定するコンテンツ指定情報が前記記憶媒体に格納されているか否かを判別する判別手段と、
前記判別手段が前記記憶媒体に前記コンテンツ指定情報が格納されていると判別した場合に、前記コンテンツ指定情報が指定するコンテンツを前記記憶媒体に記憶させる記憶制御手段と、を備える、
ことを特徴とする。
【０００６】
例えば、前記記憶制御手段は、
前記コンテンツ指定情報が記憶時刻の情報を含む場合に、当該記憶時刻に指定されるコンテンツを前記記憶媒体に記憶させてもよい。
【０００７】
例えば、放送局を選択する選択手段と、
前記選択手段が選択した放送局が発信する放送信号を受信する受信手段と、をさらに備え、
前記記憶制御手段は、
前記コンテンツ指定情報が放送局の情報を含む場合に、当該放送局が発信する放送信号を前記受信手段に受信させ、当該放送信号を前記コンテンツとして前記記憶媒体に記憶させてもよい。
【０００８】
例えば、前記記憶制御手段は、
前記コンテンツ指定情報がコンテンツの条件の情報を含む場合に、当該コンテンツの条件を満たすコンテンツを前記記憶媒体に記憶させてもよい。
【０００９】
例えば、コンテンツを記憶する記憶手段をさらに備え、
前記記憶制御手段は、
前記記憶手段が記憶するコンテンツから、前記コンテンツ指定情報が指定するコンテンツを選択して前記記憶媒体に記憶させてもよい。
【００１０】
例えば、放送局を選択する選択手段と、
前記選択手段が選択した放送局が発信する放送信号をコンテンツとして受信する受信手段と、
コンテンツを記憶する記憶手段と、をさらに備え、
前記記憶制御手段は、
前記記憶手段が記憶するコンテンツ及び前記受信手段が受信するコンテンツから、前記コンテンツ指定情報が指定するコンテンツを選択して前記記憶媒体に記憶させてもよい。
【００１１】
例えば、前記記憶媒体が格納する前記コンテンツ指定情報は、外部の情報処理装置によって作成されてもよい。
【００１２】
例えば、前記記憶媒体が格納する前記コンテンツ指定情報は、外部の携帯型コンテンツ記録装置によって作成されてもよい。
【００１３】
例えば、前記記憶媒体は、携帯型コンテンツ記録装置であってもよい。
【００１４】
本発明の第２の観点に係るコンテンツ記録装置の制御方法は、
外部の記憶媒体に着脱可能に接続される接続手段を備えるコンテンツ記録装置の制御方法であって、
前記接続手段が前記記憶媒体と接続されたことを検知する検知ステップと、
前記検知ステップで前記接続手段と前記記憶媒体との接続を検知した場合に、任意のコンテンツを指定するコンテンツ指定情報が前記記憶媒体に格納されているか否かを判別する判別ステップと、
前記判別ステップでコンテンツ指定情報が前記記憶媒体に格納されていると判別した場合に、前記コンテンツ指定情報が指定するコンテンツを前記記憶媒体に記憶させる記憶制御ステップと、を備える、
ことを特徴とする。
【００１５】
本発明の第３の観点に係るプログラムは、
外部の記憶媒体に着脱可能に接続される接続手段を備えるコンテンツ記録装置に含まれるコンピュータを、
前記接続手段が前記記憶媒体と接続されたことを検知する検知手段、
前記検知手段が前記接続手段と前記記憶媒体との接続を検知した場合に、任意のコンテンツを指定するコンテンツ指定情報が前記記憶媒体に格納されているか否かを判別する判別手段、
前記判別手段が、前記コンテンツ指定情報が前記記憶媒体に格納されていると判別した場合に、前記コンテンツ指定情報が指定するコンテンツを前記記憶媒体に記憶させる記憶制御手段、
として機能させることを特徴とする。
【発明の効果】
【００１６】
本発明によれば、コンテンツ記録装置は、簡便に外部の記憶媒体にコンテンツを記憶させることができる。
【発明を実施するための最良の形態】
【００１７】
（第１の実施形態）
以下、本発明の第１の実施形態に係るオーディオ装置を含むオーディオシステム１０００について説明する。このオーディオシステム１０００は、図１に示すように、オーディオ装置１００と、パソコン２００と、ＳＤカード３００とから構成される。
【００１８】
オーディオシステム１０００において、パソコン２００は、後述するコンテンツ指定情報３１０の設定を行い、そのコンテンツ指定情報３１０をＳＤカード３００に記憶させる。その後、ユーザがＳＤカード３００をパソコン２００より切断し、オーディオ装置１００に接続させると、オーディオ装置１００は、ＳＤカード３００よりコンテンツ指定情報３１０を読み取る。そして、オーディオ装置１００は、読み取ったコンテンツ指定情報３１０が指定するコンテンツをＳＤカード３００に記憶させる。
【００１９】
オーディオ装置１００は、図２に示すように、ＳＤカードインタフェース１０と、ＣＤ（Compact Disc）ドライブ１５と、ＭＤ（Mini Disc）ドライブ２０と、ラジオチューナ２５と、信号処理部３０と、増幅回路４０と、スピーカ５０と、表示部６０と、操作部７０と、ＨＤＤ（ハードディスク）ドライブ８０と、記憶部８５と、制御部９０とを備える。
【００２０】
ＳＤカードインタフェース１０は、ＳＤカード３００と着脱可能であり、ＳＤカード３００との着脱を検出して、制御部９０に報知する。また、ＳＤカードインタフェース１０は、制御部９０の制御のもと、ＳＤカード３００に格納されているデータを信号処理部３０又は制御部９０に供給する。また、ＳＤカードインタフェース１０は、制御部９０の制御に基づいて、制御部９０より供給されたデータをＳＤカード３００に供給して記憶させる。
【００２１】
ＣＤドライブ１５は、制御部９０の制御のもと、図示しないＣＤ（Compact Disc）規格の光ディスク媒体を再生して得たコンテンツデータを信号処理部３０又は制御部９０に供給する。
【００２２】
ＭＤドライブ２０は、制御部９０の制御のもと、図示しないＭＤ（Mini Disc）規格の光ディスク媒体を再生して得たコンテンツデータを信号処理部３０又は制御部９０に供給する。
【００２３】
ラジオチューナ２５は、制御部９０の制御のもと、制御部９０が選択したチャンネルの放送波を受信して、受信した放送波を変換したコンテンツデータを信号処理部３０又は制御部９０に供給する。
【００２４】
信号処理部３０は、例えば、デジタルシグナルプロセッサ（ＤＳＰ）等から構成される。信号処理部３０は、ＳＤカード３００、ＣＤドライブ１５、ＭＤドライブ２０、ラジオチューナ２５、ＨＤＤドライブ８０、制御部９０の何れかより供給されたコンテンツデータに、制御部９０の制御に基づいた所定の音場制御処理を施して増幅回路４０に供給する。
【００２５】
増幅回路４０は、信号処理部３０より供給されたコンテンツデータをデジタル信号からアナログ信号に変換し、検波し、増幅してスピーカ５０に供給する。
【００２６】
スピーカ５０は、増幅回路４０より供給されたアナログ信号を音声信号として出力する。
【００２７】
表示部６０は、例えば、液晶ディスプレイ（Liquid Crystal Display）等から構成され、制御部９０の制御に基づいて、ユーザの操作に必要な情報等を表示する。
【００２８】
操作部７０は、操作キー等から構成され、ユーザの操作に応じた操作信号を制御部９０に供給する。
【００２９】
ＨＤＤ（ハードディスク）ドライブ８０は、任意のコンテンツデータ等を記憶する。また、ＨＤＤドライブ８０は、制御部９０の制御に基づいて、記憶するコンテンツデータを信号処理部３０又は制御部９０に供給する。
【００３０】
記憶部８５は、例えば、ＲＯＭ（Read Only Memory）やＲＡＭ（Random Access Memory）等から構成され、制御部９０が動作するための所定の動作プログラムを記憶し、又、制御部９０のワークエリアとして機能する。
【００３１】
制御部９０は、例えば、ＣＰＵ（Central Processing Unit）等から構成され、記憶部８５が記憶する動作プログラムと操作部７０より供給された操作信号とに基づいて、オーディオ装置１００全体を制御する。
具体的には、制御部９０は、ＳＤカード３００の接続を検出すると、ＳＤカード３００に記憶されているコンテンツ指定情報３１０を読み取り、読み取ったコンテンツ指定情報３１０が指定するコンテンツデータをＳＤカード３００に記憶させる。
また、制御部９０は、ユーザの操作に応じて、ＳＤカード３００、ＣＤドライブ１５、ＭＤドライブ２０、ラジオチューナ２５、ＨＤＤドライブ８０のうちで、コンテンツデータの転送を行う。
また、制御部９０は、信号処理部３０を制御して、ＳＤカード３００、ＣＤドライブ１５、ＭＤドライブ２０、ラジオチューナ２５、ＨＤＤドライブ８０の何れかからのコンテンツデータを再生する。
【００３２】
パソコン２００は、図示しないインタフェースを介してＳＤカード３００と着脱可能であり、図３に示すようなコンテンツ指定情報３１０を設定し、接続しているＳＤカード３００に記憶させる。
【００３３】
ＳＤカード３００は、フラッシュメモリから構成されるＳＤ規格のメモリカードである。ＳＤカード３００は、パソコン２００によって、図３に示すようなコンテンツ指定情報３１０を記憶し、ユーザによってオーディオ装置１００に接続されると、記憶しているコンテンツ指定情報３１０をオーディオ装置１００に供給する。また、ＳＤカード３００は、コンテンツ指定情報３１０が指定するコンテンツデータをオーディオ装置１００から供給され、記憶する。
【００３４】
コンテンツ指定情報３１０は、ＳＤカード３００がオーディオ装置１００より取得して記憶するコンテンツを指定するための情報である。コンテンツ指定情報３１０は、図３に示すように、ソース設定情報３１１と、チューナ設定情報３１２と、ＨＤＤ設定情報３１３と、ＣＤ設定情報３１４と、ＭＤ設定情報３１５と、ＭＩＣ設定情報３１６と、ＡＵＸ設定情報３１７とから構成される。
【００３５】
ソース設定情報３１１は、ラジオチューナ２５、ＨＤＤドライブ８０、ＣＤドライブ１５、ＭＤドライブ２０、図示しないＭＩＣ、図示しないＡＵＸのソースからコンテンツの取得先を選択するための情報である。
ソース設定情報３１１は、図４に示すように、ソース毎のフラグの項目で構成されている。例えば、図４に示すように、「チューナ」にフラグ「○」が立っている場合には、ソース設定情報３１１は、ラジオチューナ２５をコンテンツの取得先とするように設定されている。また、「ＨＤＤ」にフラグが立っている場合には、ＨＤＤドライブ８０がコンテンツの取得先となり、「ＣＤ」にフラグが立っている場合には、ＣＤドライブ１５がコンテンツの取得先となり、「ＭＤ」にフラグが立っている場合には、ＭＤドライブ２０がコンテンツの取得先となり、「ＭＩＣ」にフラグが立っている場合には、図示しないＭＩＣがコンテンツの取得先となり、「ＡＵＸ」にフラグが立っている場合には、図示しないＡＵＸがコンテンツの取得先となる。
また、フラグは、複数のソースに対して立てることが可能である。例えば、「ＨＤＤ」と「ＣＤ」とにフラグ「○」が立っている場合には、ソース設定情報３１１は、ＨＤＤドライブ２０とＣＤドライブ１５とをコンテンツの取得先とするように設定されている。
【００３６】
チューナ設定情報３１２は、ソース設定情報３１１においてソースにラジオチューナ２５が設定されている場合に使用される情報であり、コンテンツを取得する際のラジオチューナ２５の詳細な設定に関する情報である。
チューナ設定情報３１２は、例えば、図５に示すように、変調方式とチャンネルとを選択して行う「チューナ設定」の項目と、ラジオチューナ２５に放送波（コンテンツ）を受信させる「時刻」の項目と、ＳＤカード３００に記録する際の「記録モード」の項目とから構成される。
【００３７】
さらに、詳しく述べると、「チューナ設定」の「変調方式」においては、「ＦＭ」と「ＡＭ」との選択を行い、さらに選択した各変調方式において、「チャンネル」の選択を行う。例えば、図５においては、変調方式「ＦＭ」のチャンネル「Ｃｈ０３＜８０．６ＭＨｚ＞」が選択されている。つまり、変調方式「ＦＭ」のチャンネル「Ｃｈ０３＜８０．６ＭＨｚ＞」の放送波（コンテンツ）をＳＤカード３００に記録するように設定されている。
【００３８】
「時刻」の「ＤＡＴＥ」においては、「ＮＯＷ」、「ＴＯＤＡＹ」、「ＴＯＭＯＲＲＯＷ」、「ＥＶＥＲＹＤＡＹ」等から放送波を受信する日の選択を行う。また、「時刻」の「ＳＴＡＲＴ  ＆  ＥＮＤ」においては、放送波の受信を開始する時分と終了する時分との設定を行う。
【００３９】
「ＮＯＷ」が選択された場合には、ＳＤカード３００がオーディオ装置１００に接続された時点から受信した放送波（コンテンツ）をＳＤカード３００に記録するように設定される。
「ＴＯＤＡＹ」が選択された場合には、ＳＤカード３００がオーディオ装置１００に接続された日の、「ＳＴＡＲＴ  ＆  ＥＮＤ」に設定されている時分に受信した放送波（コンテンツ）をＳＤカード３００に記録するように設定される。例えば、図５の場合には、「ＴＯＤＡＹ」にフラグ「○」が立っていて、さらに、「ＳＴＡＲＴ  ＆  ＥＮＤ」が「２３：００〜２３：５８」と設定されているので、ＳＤカード３００がオーディオ装置１００に接続された日の２３時００分から２３時５８分までに受信した放送波（コンテンツ）をＳＤカード３００に記録するように設定されている。
「ＴＯＭＯＲＲＯＷ」が選択された場合には、ＳＤカード３００がオーディオ装置１００に接続された日の翌日の、「ＳＴＡＲＴ  ＆  ＥＮＤ」に設定されている時分に受信した放送波（コンテンツ）をＳＤカード３００に記録するように設定される。
「ＥＶＥＲＹＤＡＹ」が選択された場合には、ＳＤカード３００がオーディオ装置１００に接続された日から毎日、「ＳＴＡＲＴ  ＆  ＥＮＤ」に設定されている時分に受信した放送波（コンテンツ）をＳＤカード３００に記録するように設定される。
【００４０】
「記録モード」の「形式」においては、「ＭＰ３」、「ＷＡＶ」、「ＷＭＡ」等から、ＳＤカード３００に記録するファイル形式の選択を行う。また、「記録モード」の「ビットレート」においては、「６４ｋｂｐｓ」、「９６ｋｂｐｓ」、「１９２ｋｂｐｓ」、「２５６ｋｂｐｓ」等から、ＳＤカード３００に記録するビットレートの選択を行う。
例えば、図５の場合には、「ＭＰ３」にフラグ「○」が立っていて、さらに、「１９２」にフラグ「○」が立っているので、オーディオ装置１００が受信した放送波（コンテンツ）をＳＤカード３００にＭＰ３のファイル形式で且つビットレート１９２ｋｂｐｓで記録するように設定されている。
【００４１】
ＨＤＤ設定情報３１３は、ソース設定情報３１１においてソースにＨＤＤドライブ８０が設定されている場合に使用される情報であり、ＨＤＤドライブ８０に格納されているコンテンツから絞込みを行う際の設定に関する情報である。
ＨＤＤ設定情報３１３は、例えば、図６に示すように、コンテンツの「ジャンル」と「アーティスト名」と「アルバム名」と「楽曲名」とによって絞込みを行う「絞込み設定」の項目と、コンテンツの絞込みを行って記録する「時刻」の項目と、ＳＤカード３００に記録する際の「記録モード」の項目とから構成される。
【００４２】
さらに、詳しく述べると、「絞込み設定」の「ジャンル」においては、「ＲＯＣＫ」、「ＪＡＺＺ」、「ＰＯＰ」、「クラシック」等からコンテンツのジャンルの選択を行う。例えば、図６においては、ジャンル「ＲＯＣＫ」が選択されている。つまり、ジャンル「ＲＯＣＫ」のコンテンツをＨＤＤドライブ８０から絞込み、ＳＤカード３００に記録するように設定されている。
「絞込み設定」の「アーティスト名」の「方法」においては、コンテンツのアーティスト名を用いた絞込みの方法を、「名称」、「含む」、「頭文字」、「男性」、「女性」、「グループ」等から選択する。また、「絞込み設定」の「アーティスト名」の「ＷＯＲＤ」においては、各方法において使用する語句を設定する。
「名称」が選択された場合には、アーティスト名が「ＷＯＲＤ」に設定されている語句であるコンテンツをＨＤＤドライブ８０から取得してＳＤカード３００に記録するように設定される。例えば、図６の場合において、「名称」にフラグ「○」が立っていれば、「ＷＯＲＤ」が「ＢＬＵＥ」と設定されているので、アーティスト名が「ＢＬＵＥ」のコンテンツをＨＤＤドライブ８０から取得してＳＤカード３００に記録するように設定されている。
「含む」が選択された場合には、アーティスト名が「ＷＯＲＤ」に設定されている語句を含むコンテンツをＨＤＤドライブ８０から取得してＳＤカード３００に記録するように設定される。例えば、図６の場合において、「含む」にフラグ「○」が立っていれば、「ＷＯＲＤ」が「ＢＬ」と設定されているので、アーティスト名が「ＢＬ」を含むコンテンツをＨＤＤドライブ８０から取得してＳＤカード３００に記録するように設定されている。
「頭文字」が選択された場合には、アーティスト名の頭文字が「ＷＯＲＤ」に設定されている語句であるコンテンツをＨＤＤドライブ８０から取得してＳＤカード３００に記録するように設定される。例えば、図６の場合においては、「名称」にフラグ「○」が立っていて、「ＷＯＲＤ」が「Ｂ」と設定されているので、アーティスト名の頭文字が「Ｂ」のコンテンツをＨＤＤドライブ８０から取得してＳＤカード３００に記録するように設定されている。
「男性」が選択された場合には、アーティストが男性であるコンテンツをＨＤＤドライブ８０から取得してＳＤカード３００に記録するように設定される。例えば、図６の場合において、「男性」にフラグ「○」が立っていれば、アーティストが男性であるコンテンツをＨＤＤドライブ８０から取得してＳＤカード３００に記録するように設定されている。
「女性」が選択された場合には、アーティストが女性であるコンテンツをＨＤＤドライブ８０から取得してＳＤカード３００に記録するように設定される。例えば、図６の場合において、「女性」にフラグ「○」が立っていれば、アーティストが男性であるコンテンツをＨＤＤドライブ８０から取得してＳＤカード３００に記録するように設定されている。
「グループ」が選択された場合には、アーティストがグループであるコンテンツをＨＤＤドライブ８０から取得してＳＤカード３００に記録するように設定される。例えば、図６の場合において、「グループ」にフラグ「○」が立っていれば、アーティストがグループであるコンテンツをＨＤＤドライブ８０から取得してＳＤカード３００に記録するように設定されている。
【００４３】
ＨＤＤ設定情報３１３の「時刻」と「記録モード」と項目の設定は、チューナ設定情報３１２と同様である。しかし、通常、ＨＤＤ設定情報３１３においては、「時刻」の「ＤＡＴＥ」は、「ＮＯＷ」が設定され、ＳＤカード３００がオーディオ装置１００に接続された時に、コンテンツの絞込みが行われ、ＳＤカード３００に記録されるように設定される。また、通常、ＨＤＤ設定情報３１３においては、「記録モード」は、設定されず、ＨＤＤドライブ８０が記録している時のコンテンツのファイル形式及びビットレートでＳＤカード３００に記録されるように設定されるため、ＨＤＤ設定情報３１３の「時刻」と「記録モード」は付加されていなくともよい。
【００４４】
ＣＤ設定情報３１４は、ソース設定情報３１１においてソースにＣＤドライブ１５が設定されている場合に使用される情報であり、ＣＤドライブ１５に装填されている光ディスク媒体に格納されているコンテンツの絞込みを行う際の設定に関する情報である。詳細は省略する。
【００４５】
ＭＤ設定情報３１５は、ソース設定情報３１１においてソースにＭＤドライブ２０が設定されている場合に使用される情報であり、ＭＤドライブ２０に装填されている光ディスク媒体に格納されているコンテンツの絞込みを行う際の設定に関する情報である。詳細は省略する。
【００４６】
ＭＩＣ設定情報３１６は、ソース設定情報３１１においてソースにＭＩＣが設定されている場合に使用される情報であり、コンテンツを取得する際のＭＩＣの詳細な設定に関する情報である。詳細は省略する。
【００４７】
ＡＵＸ設定情報３１７は、ソース設定情報３１１においてソースにＡＵＸが設定されている場合に使用される情報であり、コンテンツを取得する際のＡＵＸの詳細な設定に関する情報である。詳細は省略する。
【００４８】
なお、ユーザは、パソコン２００を操作して、ＳＤカード３００が記憶するコンテンツ指定情報３１０の内容を変更可能である。
【００４９】
以下、上記構成のオーディオシステム１０００の動作を説明する。
【００５０】
先ず、簡単に説明すると、オーディオシステム１０００において、パソコン２００は、コンテンツ指定情報３１０の設定を行い、そのコンテンツ指定情報３１０をＳＤカード３００に記憶させる。その後、ユーザがＳＤカード３００をパソコン２００より切断し、オーディオ装置１００に接続させると、オーディオ装置１００は、ＳＤカード３００よりコンテンツ指定情報３１０を読み取る。そして、オーディオ装置１００は、読み取ったコンテンツ指定情報３１０が指定するコンテンツをＳＤカード３００に記憶させる。
【００５１】
このようにして、オーディオシステム１０００によれば、ＳＤカード３００が記憶するコンテンツ指定情報３１０に基づいて、オーディオ装置１００よりコンテンツをＳＤカード３００に記憶させることができ、ＳＤカード３００へのコンテンツの記録を簡便に行うことができる。
【００５２】
次に、本発明の第１の実施形態に係るオーディオ装置１００が行うメモリカード記録処理を、図７に示すフローチャートを参照して詳細に説明する。
【００５３】
オーディオ装置１００に電源が投入されると、オーディオ装置１００の制御部９０は、ＳＤカードインタフェース１０にＳＤカード３００が挿入されたか否かを判別する（ステップＳ１０１）。
【００５４】
ＳＤカードインタフェース１０にＳＤカード３００が挿入されていないと判別すると（Ｓ１０１；ＮＯ）、制御部９０は、ＳＤカード３００が挿入されるまで、ステップＳ１０１の処理を繰り返す。
【００５５】
ＳＤカードインタフェース１０にＳＤカード３００が挿入されたと判別すると（Ｓ１０１；ＹＥＳ）、制御部９０は、挿入されたＳＤカード３００にコンテンツ指定情報３１０が記録されているか否かを判別する（ステップＳ１０２）。
【００５６】
ＳＤカード３００にコンテンツ指定情報３１０が記録されていないと判別すると（Ｓ１０２；ＮＯ）、制御部９０は、ＳＤカード３００内のファイル情報を読み込んで（ステップＳ１０３）、処理をステップＳ１０８に進める。
【００５７】
一方で、ＳＤカード３００にコンテンツ指定情報３１０が記録されていると判別すると（Ｓ１０２；ＹＥＳ）、制御部９０は、そのコンテンツ指定情報３１０を読み込み（ステップＳ１０４）、コンテンツ指定情報３１０に含まれるソース設定情報３１１においてフラグが立てられているソースの設定を行う（ステップＳ１０５）。
【００５８】
次に、制御部９０は、コンテンツ指定情報３１０に含まれる、フラグが立てられているソースの設定情報に基づいてコンテンツを取得し、ＳＤカード３００に記録を開始する（ステップＳ１０６）。
【００５９】
制御部９０は、コンテンツ指定情報３１０に基づいてＳＤカード３００への記録が終了したか否かを判別する（ステップＳ１０７）。
【００６０】
ＳＤカード３００への記録が終了していないと判別すると（Ｓ１０７；ＮＯ）、制御部９０は、記録が終了するまでステップＳ１０７の処理を繰り返す。
【００６１】
ＳＤカード３００への記録が終了したと判別すると（Ｓ１０７；ＹＥＳ）、制御部９０は、ＳＤカードインタフェース１０とＳＤカード３００とが切断したか否かを判別する（ステップＳ１０８）。
【００６２】
ＳＤカードインタフェース１０とＳＤカード３００とが切断していないと判別すると（Ｓ１０８；ＮＯ）、制御部９０は、切断するまでステップＳ１０８の処理を繰り返す。
【００６３】
ＳＤカードインタフェース１０とＳＤカード３００とが切断したと判別すると（Ｓ１０８；ＹＥＳ）、制御部９０は、処理をステップＳ１０１に戻す。
【００６４】
このようにして、オーディオ装置１００に、コンテンツ指定情報３１０を記録させたＳＤカード３００を挿入することによって、コンテンツ指定情報３１０に基づいたコンテンツをＳＤカード３００に記録させることができ、コンテンツの記録を簡便に行うことができる。
【００６５】
（第２の実施形態）
第１の実施形態においては、パソコン２００が、ＳＤカード３００が記憶するコンテンツ指定情報３１０の設定を行い、オーディオ装置１００が、ＳＤカード３００が記憶するコンテンツ指定情報３１０に基づくコンテンツをＳＤカード３００に記録させた。
しかし、第２の実施形態においては、デジタルオーディオプレーヤ（以下、ＤＡＰ）が、コンテンツ指定情報３１０を記憶し、ＤＡＰ自体が、コンテンツ指定情報３１０の設定を行い、オーディオ装置が、ＤＡＰが記憶するコンテンツ指定情報３１０に基づくコンテンツをＤＡＰに記録させるようにしてもよい。
【００６６】
第２の実施形態に係るオーディオシステム２０００は、図８に示すように、デジタルオーディオプレーヤ４００（以下、ＤＡＰ４００）とオーディオ装置１００’とから構成される。
【００６７】
デジタルオーディオプレーヤ４００は、第１の実施形態と同様のコンテンツ指定情報３１０を記憶し、その設定を行う。また、ＤＡＰ４００は、オーディオ装置１００’とＵＳＢ（Universal Serial Bus）端子を用いて接続することによって、コンテンツ指定情報３１０をオーディオ装置１００’に供給し、コンテンツ指定情報３１０に基づくコンテンツを取得して記憶する。
【００６８】
図９に示すように、オーディオ装置１００’は、第１の実施形態に係るオーディオ装置１００とほぼ同様である。しかし、オーディオ装置１００’は、ＳＤカードインタフェース１０の代わりに、ＵＳＢインタフェース１０’を備える。
【００６９】
ＵＳＢインタフェース１０’は、ＵＳＢ（Universal Serial Bus）規格に準拠しており、ＤＡＰ４００のＵＳＢ端子と接続可能であり、ＤＡＰ４００との接続と切断とを検出して、制御部９０に報知する。また、ＵＳＢインタフェース１０’は、制御部９０の制御のもと、ＤＡＰ４００に格納されているデータを信号処理部３０又は制御部９０に供給する。また、ＵＳＢインタフェース１０’は、制御部９０の制御に基づいて、制御部９０より供給されたデータをＤＡＰ４００に供給して記憶させる。
【００７０】
オーディオ装置１００’の動作は、オーディオ装置１００の動作と同様である。ただし、メモリカード記録処理において、メモリカード記録処理をＤＡＰ記録処理と、ＳＤカード３００をＤＡＰ４００と、ＳＤカードインタフェース１０をＵＳＢインタフェース１０’と読み替える。
【００７１】
第２の実施形態に係るオーディオシステム２０００は、デジタルオーディオプレーヤを用いて簡便にオーディオ装置からＤＡＰにコンテンツを記録させることができる。
【００７２】
なお、本発明は上記実施形態に限定されず、種々の応用及び変形が可能である。
【００７３】
第１の実施形態においては、外部の記憶媒体としてＳＤカードの例を用いたが、他の着脱可能なメモリカード、ＨＤＤストレージ、光ディスクドライブに装填された光ディスク媒体等であってもよい。
【００７４】
また、第２の実施形態においては、外部の記憶媒体としてデジタルオーディオプレーヤの例を用いたが、ノート型パーソナルコンピュータ、ＰＤＡ（Personal Digital Assistant）、電子手帳、携帯型無線機、携帯電話、その他の電子機器であってもよい。
【００７５】
また、上記実施形態においては、外部の記憶媒体にコンテンツを記憶させる装置として、オーディオ装置の例を用いたが、外部の記憶媒体にコンテンツを記憶させることのできる機器であれば、ノート型パーソナルコンピュータ、ＰＤＡ（Personal Digital Assistant）、電子手帳、携帯型無線機、携帯電話、ＤＡＰ、その他の電子機器であってもよい。
【００７６】
また、上記実施形態において、コンテンツ指定情報の細部構成は、適宜変更可能である。
【００７７】
また、本発明のコンテンツ記録装置は、専用のシステムによらず、外部記憶媒体と接続可能な通常のコンピュータシステムを用いて実現可能である。たとえば、前記の動作を実行するためのコンピュータプログラムを、コンピュータが読み取り可能な記憶媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するオーディオ装置１００，１００’を構成してもよい。また、インターネット等の通信ネットワーク上のサーバ装置が有する記憶装置に当該コンピュータプログラムを格納しておき、通常のコンピュータシステムがダウンロード等することで本発明のコンテンツ記録装置を構成してもよい。
【００７８】
また、本発明のコンテンツ記録装置の機能を、ＯＳ（オペレーティングシステム）とアプリケーションプログラムの分担、またはＯＳとアプリケーションプログラムとの協働により実現する場合などには、アプリケーションプログラム部分のみを記憶媒体や記憶装置に格納してもよい。
【００７９】
また、その他、具体的な細部構成等についても適宜変更可能である。
【図面の簡単な説明】
【００８０】
【図１】本発明の第１の実施形態に係るオーディオシステムの構成図である。
【図２】図１のオーディオ装置の構成図である。
【図３】コンテンツ指定情報を説明するための図である。
【図４】図３のコンテンツ指定情報が含むソース設定情報を説明するための図である。
【図５】図３のコンテンツ指定情報が含むチューナ設定情報を説明するための図である。
【図６】図３のコンテンツ指定情報が含むＨＤＤ設定情報を説明するための図である。
【図７】メモリカード記録処理を説明するためのフローチャートである。
【図８】本発明の第２の実施形態に係るオーディオシステムの構成図である。
【図９】図８のオーディオ装置の構成図である。
【符号の説明】
【００８１】
１０      ＳＤカードインタフェース
１０’    ＵＳＢインタフェース
１５      ＣＤドライブ
２０      ＭＤドライブ
２５      ラジオチューナ
３０      信号処理部
４０      増幅回路
５０      スピーカ
６０      表示部
７０      操作部
８０      ＨＤＤドライブ
８５      記憶部
９０      制御部
１００    オーディオ装置
１００’  オーディオ装置
２００    パーソナルコンピュータ
３００    ＳＤカード
３１０    コンテンツ指定情報
３１１    ソース設定情報
３１２    チューナ設定情報
３１３    ＨＤＤ設定情報
３１４    ＣＤ設定情報
３１５    ＭＤ設定情報
３１６    ＭＩＣ設定情報
３１７    ＡＵＸ設定情報
４００    デジタルオーディオプレーヤ（ＤＡＰ）
【図１】
2009198622.tif 000003
【図２】
2009198622.tif 000004
【図３】
2009198622.tif 000005
【図４】
2009198622.tif 000006
【図５】
2009198622.tif 000007
【図６】
2009198622.tif 000008
【図７】
2009198622.tif 000009
【図８】
2009198622.tif 000010
【図９】
2009198622.tif 000011